(57)【特許請求の範囲】
【請求項１】
容器本体に装着されると共にノズルと当該ノズルから垂下する筒体部を有して内側に形成した内部通路にメッシュを介在させたノズルヘッドと、ノズルヘッドの筒体部に連通する筒体部を有して内側に形成されたパイプに通じる内部通路にメッシュを介在させると共に当該メッシュよりも上流側に当該内部通路を容器本体の充填空間に通じさせる開口部が形成されたパイプコネクタとを備え、容器本体の胴部の押し潰しと復帰との繰り返しにより、内容液とパイプコネクタの開口部から取り入れられた空気との混合物を泡状にして注出する泡注出器であって、
ノズルヘッドの筒体部と、パイプコネクタの筒体部との合せ面をそれぞれ、軸線方向に沿って摺動可能に連結する摺動面で構成すると共に、
ノズルヘッドの筒体部と、パイプコネクタの筒体部とにそれぞれ、互いに軸線周りに時計回り又は反時計回りに回転させることで、軸線方向に沿って進退させる螺合部を設け、当該進退によってノズルヘッド側のメッシュとパイプコネクタ側のメッシュとの間の距離を調整可能としたことを特徴とする泡注出器。
【請求項２】
請求項１において、前記螺合部は、ノズルヘッドの筒体部の外周面に形成されたねじ部と、当該ノズルヘッドの筒体部を取り囲むようにパイプコネクタの筒体部に設けられた周壁部の内周面に形成されたねじ部とで構成されていることを特徴とする泡注出器。
【請求項３】
請求項２において、ノズルヘッドに、パイプコネクタの周壁部を取り囲むと共に容器の口部を密封する外殻部を設け、
当該外殻部に、貫通孔を形成すると共に、
ノズルヘッドの外殻部とパイプコネクタの周壁部との間に、前記貫通孔からの外気の導入のみを許容する逆止弁を設けたことを特徴とする泡注出器。
【請求項４】
請求項１乃至３のいずれか１項において、パイプコネクタの筒体部を、ノズルヘッドの筒体部の内側に配置すると共に、当該パイプコネクタのメッシュをパイプコネクタの筒体部の内側に配置したことを特徴とする泡注出器。
【発明の詳細な説明】
【技術分野】
【０００１】
本発明は、液体と空気との混合物を２つのメッシュを通すことで、泡状の内容物として注出させることができる泡注出器に関するものである。
【背景技術】
【０００２】
従来の泡注出器としては、例えば、容器本体の口部に装着された栓本体と、この栓本体に固定されると共に網又は不織布が設けられた発泡装置とを有し、その相互間に、同じく網又は不織布が設けられた補助筒を介在させたものがある（例えば、特許文献１参照）。
【先行技術文献】
【特許文献】
【０００３】
【特許文献１】実公昭６３−１３８１０号公報
【発明の概要】
【発明が解決しようとする課題】
【０００４】
これに対し、本願発明者は、注出される内容物の泡質は、網等の相互間の距離に応じて変化することを見出した。
【０００５】
しかしながら、従来の泡注出器は、発泡装置と補助筒とのいずれもが、栓本体に嵌着されることから、網等の相互間の距離を自由に変更できない。このため、使用者の要求や用途に応じて、泡質を変更するには、注出器そのものを個別に設計変更する必要等がある。
【０００６】
本発明の目的とするところは、注出器そのものを設計変更することなく、目的に応じた泡質での注出を簡便に行うことができる、新規な泡注出器を提供することにある。
【課題を解決するための手段】
【０００７】
本発明は、容器本体に装着されると共にノズルと当該ノズルから垂下する筒体部を有して内側に形成した内部通路にメッシュを介在させたノズルヘッドと、ノズルヘッドの筒体部に連通する筒体部を有して内側に形成されたパイプに通じる内部通路にメッシュを介在させると共に当該メッシュよりも上流側に当該内部通路を容器本体の充填空間に通じさせる開口部が形成されたパイプコネクタとを備え、容器本体の胴部の押し潰しと復帰との繰り返しにより、内容液とパイプコネクタの開口部から取り入れられた空気との混合物を泡状にして注出する泡注出器であって、
ノズルヘッドの筒体部と、パイプコネクタの筒体部との合せ面をそれぞれ、軸線方向に沿って摺動可能に連結する摺動面で構成すると共に、
ノズルヘッドの筒体部と、パイプコネクタの筒体部とにそれぞれ、互いに軸線周りに時計回り又は反時計回りに回転させることで、軸線方向に沿って進退させる螺合部を設け、当該進退によってノズルヘッド側のメッシュとパイプコネクタ側のメッシュとの間の距離を調整可能としたことを特徴とするものである。
【０００８】
前記螺合部は、例えば、ノズルヘッドの筒体部の外周面に形成されたねじ部と、パイプコネクタの筒体部に設けられた周壁部の内周面に形成されたねじ部とで構成することができる。
【０００９】
また、本発明では、ノズルヘッドに、パイプコネクタの周壁部を取り囲むと共に容器の口部を密封する外殻部を設け、当該外殻部に貫通孔を形成すると共に、ノズルヘッドの外殻部とパイプコネクタの周壁部との間に、前記貫通孔からの外気の導入のみを許容する逆止弁を設けることができる。
【００１０】
更に、本発明では、パイプコネクタの筒体部を、ノズルヘッドの筒体部の内側に配置すると共に、当該パイプコネクタのメッシュをノズルヘッドの筒体部の内側に配置することが好ましい。
【発明の効果】
【００１１】
本発明では、ノズルヘッド又はパイプコネクタは、軸線周りに時計回り又は反時計回りに回転させることで、互いに軸線方向に沿って進退することから、ノズルヘッド側のメッシュと、パイプコネクタ側のメッシュとの間の距離を、注出器そのものを設計変更することなく、自由に変更することができる。
【００１２】
加えて、ノズルヘッド又はパイプコネクタの進退は、ねじによるものであるため、その進退（メッシュ間の距離）の微調整が可能となり、その位置決めも容易になる。
【００１３】
従って、本発明によれば、注出器そのものを設計変更することなく、目的に応じた泡質での注出を簡便に行うことができる、新規な泡注出器を提供できる。
【図面の簡単な説明】
【００１４】
【図１】本発明の一形態である、泡注出器を容器本体に装着して、そのメッシュ間距離を最小にした状態を示す断面図である。
【図２】同泡注出器を容器本体に装着して、そのメッシュ間距離を最大にした状態を示す断面図である。
【発明を実施するための形態】
【００１５】
以下、図面を参照して、本発明の一形態である、泡注出器を詳細に説明する。
【００１６】
符号１は、合成樹脂製の泡注出器である。泡注出器１は、容器本体３０の口部３１に装着される。容器本体３０は、合成樹脂製のブロー成形ボトルであって、肩部３２を介して口部３１に繋がり、変形及び復元の可能な胴部３３を有する。容器本体３０の内側には、口部３１を通して外界に通じる内容液の充填空間Ｓが形成されている。
【００１７】
符号２は、容器本体３０に装着されるノズルヘッドである。ノズルヘッド２は、軸線Ｏに対して横向きに延在するノズル２ａと、このノズル２ａから軸線Ｏに沿って一体に垂下する筒体部２ｂとを有し、その内側には、ノズル２ａの先端に形成した開口部Ａaと、筒体部２ｂの末端に形成した開口部Ａbとを通じさせる内部通路２１が形成されている。
【００１８】
内部通路２１は、ノズル２ａの内側を通る通路２１ａと、この通路２１ａに通じて筒体部２ｂの内側に形成された通路２１ｂからなる。通路２１ｂは、小径部２１ｂ(1)と大径部２１ｂ(2)で構成されている。
【００１９】
符号５は、ノズルヘッド２に固定されるメッシュリングである。メッシュリング５は、合成樹脂製の筒体５ａの端面に、メッシュ５ｂを固定した既存のものである。メッシュリング５は、筒体５ａを介して小径部２１ｂ(1)に嵌合保持される。
【００２０】
符号７は、合成樹脂製のパイプコネクタである。パイプコネクタ７は、容器本体３０に配置されるパイプＰを有する本体７ａと、ノズルヘッド２の筒体部（以下、「パイプコネクタ筒体部」）２ｂと連通する筒体部７ｂとを一体に有する。
【００２１】
パイプコネクタ７の内側には、パイプＰの先端に形成した開口部Ａcと、筒体部７ｂの末端に形成した開口部Ａdとを通じさせる内部通路２２が形成されている。内部通路２２は、大径部２２ａ、中径部２２ｂ及び小径部２２ｃで構成されている。大径部２２ａは、ノズルヘッド２側と同様、その内側でメッシュリング５を嵌合保持する。これにより、パイプＰを通して圧送された内容液は、上流側の小径部２２ｃから下流側の大径部２２ａに配置したメッシュリング５を通過する。
【００２２】
また、パイプコネクタ７は、メッシュリング５（メッシュ５ｂ）よりも上流側（パイプＰ側）に、内部通路２２を外界に通じさせる開口部２３が軸線Ｏ周りの少なくとも１箇所に形成されている。開口部２３は、充填空間Ｓ内の空気を取り入れる外気導入孔である。これにより、メッシュリング５には、充填空間ＳからパイプＰの通路２４を通って圧送される内容液と、充填空間Ｓ内の外気（空気）との混合物が通過する。なお、小径部２２ｃには、軸線Ｏ周りに間隔を置いて複数の縦リブ７ｒ1が設けられている。これにより、本体７ａに挿入されたパイプＰの挿入を規制する。
【００２３】
また、本形態では、パイプコネクタ７の筒体部（以下、「パイプコネクタ筒体部」）７ｂは、ノズルヘッド筒体部２ｂに内部嵌合する。このため、パイプコネクタ筒体部７ｂの外周面７ｆと、ノズルヘッド筒体部２ｂの内周面２ｆ(1)とはそれぞれ、パイプコネクタ筒体部７ｂとノズルヘッド筒体部２ｂとの合せ面を構成する。ノズルヘッド２側の合せ面（以下、「合せ面２ｆ(1)」）及びパイプコネクタ７側の合せ面（以下、「合せ面７ｆ」）はそれぞれ、平滑な面としてなり、軸線Ｏ方向に沿って摺動可能な摺動面として構成されている。
【００２４】
加えて、ノズルヘッド筒体部２ｂと、パイプコネクタ筒体部７ｂとにはそれぞれ、互いに軸線Ｏ周りに時計回り又は反時計回りに回転させることで、軸線Ｏ方向に沿って進退させる螺合部２ｓ及び７ｓが設けられている。螺合部２ｓは、ノズルヘッド筒体部２ｂの外周面に形成されたねじ部で構成されている。螺合部７ｓは、ノズルヘッド筒体部２ｂを取り囲むように、パイプコネクタ筒体部７ｂに設けられた周壁部７ｃの内周面に形成されたねじ部で構成されている。
【００２５】
また、ノズルヘッド２には、パイプコネクタ７の周壁部（以下、「パイプコネクタ周壁部」）７ｃを取り囲むように外殻部２ｃが一体に設けられている。外殻部２ｃは、外筒部２ｃ(1)を有し、口部３１に形成されたねじ部３４に螺合するねじ部２ｄが設けられている。これにより、ノズルヘッド２は、軸線Ｏ周りに時計回り又は反時計回りに回転させることで、口部３１に着脱可能に装着することができる。
【００２６】
なお、本形態では、パイプコネクタ周壁部７ｃは、螺合部７ｓが設けられた大径部７ｃ1と、この大径部７ｃ1よりも小径な小径部７ｃ2で構成されている。この場合、金型からの抜きの際に有効である。
【００２７】
加えて、外殻部２ｃは、外筒部２ｃ(1)に取り囲まれた内筒部２ｃ(2)を有する。内筒部２ｃ(2)は、口部３１の内周面３１ｆに嵌合する。これにより、外殻部２ｃは、口部３１を密封する。
【００２８】
更に、外殻部２ｃには、口部３１を通して充填空間Ｓを外界に通じさせる貫通孔２５が形成されている。符号８は、貫通孔２５からの外気の導入のみを許容する逆止弁である。
【００２９】
逆止弁８は、合成樹脂からなり、パイプコネクタ周壁部７ｃに嵌合保持される装着筒８ａと、この装着筒８ａの周りに全周に亘って設けられた環状壁８ｂとが一体に設けられている。
【００３０】
環状壁８ｂは、充填空間Ｓに向かうに従って拡径する傾斜壁であって、内筒部２ｃ(2)の内周面２ｆ(2)に対して変形及び復元が可能に接触している。これにより、逆止弁８は、貫通孔２５と充填空間Ｓとの間を仕切ると共に、貫通孔２５からの外気の導入のみを許容することができ、容器本体３０の胴部３３の押し潰しと復帰との繰り返しにより、パイプＰを通して内容液を圧送しても、容器本体３０が潰れることがない。
【００３１】
なお、逆止弁８は、本形態のように、外殻部２ｃとパイプコネクタ周壁部７ｃとの間に掛け渡されるものに限定されることなく、例えば、外殻部２ｃに直接設けられた、貫通孔２５を開閉する弾性舌片で構成することも可能である。
【００３２】
本形態では、泡注出器１を容器本体３０から取り外した状態で、ノズルヘッド２又はパイプコネクタ７を軸線Ｏ周りに時計回り又は反時計回りに回転させることで、メッシュ間距離の最小値Ｘから最大値Ｘ＋Ｙ（Ｂ：ノズルヘッド筒体部２ｂの先端がパイプコネクタ筒体部７ｂとパイプコネクタ周壁部７ｃとの連結部に接触することで規制されるねじによる最大ストローク量）までの範囲を、互いに軸線Ｏ方向に沿って進退することから、ノズルヘッド２側のメッシュ５ｂと、パイプコネクタ７側のメッシュ５ｂとの間の距離を、注出器そのものを設計変更することなく、自由に変更することができる。
【００３３】
加えて、ノズルヘッド２又はパイプコネクタ７の進退は、ねじ２ｓ，７ｓによるものであるため、その進退（メッシュ５ｂ間の距離）の微調整が可能となり、その位置決めも容易になる。
【００３４】
従って、本形態によれば、注出器そのものを設計変更することなく、目的に応じた泡質での注出を簡便に行うことができる。なお、本発明によれば、メッシュ５ｂ間距離の調整は、製品出荷前の組み付け時、又は、使用者によって行うことができる。
【００３５】
加えて、本形態では、ノズルヘッド筒体部２ｂと、パイプコネクタ筒体部７ｂとにはそれぞれ、抜け止め部２ｒ及び７ｒ2が設けられている。抜け止め部２ｒは、ノズルヘッド筒体部２ｂの下端外周面に設けられた環状リブである。抜け止め部７ｒ2は、パイプコネクタ筒体部７ｂの内周面に設けられた環状リブである。抜け止め部２ｒ及び７ｒ2は、図２に示すように、互いに引っ掛かることで、ノズルヘッド２とパイプコネクタ７との分離を防止する。
【００３６】
なお、抜け止め部２ｒは、ノズルヘッド筒体部２ｂの肉厚を厚くする等により、ねじ部２ｓのねじ山と同等或いは低くなるように構成されており、抜け止め部７ｒ2とねじ部７ｓとの関係も同様である。この場合、金型からの抜きの際に有効である。
【００３７】
本発明に従えば、螺合部２ｓ，７ｓは、例えば、ノズルヘッド筒体部２ｂとパイプコネクタ筒体部７ｂとを直接螺合させることも可能であるが、本形態のように、ノズルヘッド筒体部２ｂに形成されたねじ部と、パイプコネクタ周壁部７ｃに形成されたねじ部とで構成すれば、内部通路２１と内部通路２２との間の液密性を確保しつつ、目的に応じた泡質での注出を簡便に行うことができる。
【００３８】
また、本形態のように、ノズルヘッド２に、パイプコネクタ周壁部７を取り囲むと共に口部３１を密封する外殻部２ｃを設け、この外殻部２ｃに、貫通孔２５を形成すると共に、この貫通孔２５からの外気の導入のみを許容する逆止弁８を設ければ、充填空間Ｓ内への外気（空気）の導入を確保しつつ、容器本体３０による確実な内容液の圧送を可能とすることで、より目的に応じた泡質での注出を簡便に行うことができる。
【００３９】
更に、本形態のように、パイプコネクタ筒体部７ｂを、ノズルヘッド筒体部２ｂの内側に配置すると共に、パイプコネクタ７のメッシュ５ｂをパイプコネクタ筒体部７ｂの内側に配置すれば、目的に応じた泡質での注出がコンパクト化を図りつつ実現できる。
【００４０】
上述したところは、本発明の一形態を示したにすぎず、特許請求の範囲において、種々の変更を加えることができる。例えば、逆止弁８及びパイプＰは、パイプコネクタ７と一体に設けることができる。
【産業上の利用可能性】
【００４１】
本発明は、ノズルの先端に形成した開口部に通じる内部通路にメッシュを介在させたノズルヘッドと、パイプに通じる内部通路にメッシュを介在させると共にメッシュよりも上流側に内部通路を外界に通じさせる開口部が形成されたパイプコネクタとを備え、ノズルヘッドの内部通路を内側に形成する当該ノズルヘッドの筒体部と、パイプコネクタの内部通路を形成する当該パイプコネクタの筒体部とを連通させた泡注出器であれば、様々なものに適用することができる。また、内容液の種類についても、限定されない。
【符号の説明】
【００４２】
１    泡注出器
２    ノズルヘッド
２ａ  ノズル
２ｂ  ノズルヘッド筒体部
２ｃ  外殻部
２ｓ  螺合部
５    メッシュリング
５ａ  筒体
５ｂ  メッシュ
７    パイプコネクタ
７ａ  本体
７ｂ  パイプコネクタ筒体部
７ｃ  パイプコネクタ周壁部
７ｃ1 大径部
７ｃ2 小径部
７ｓ  螺合部
８    逆止弁
２１  内部通路
２２  内部通路
２３  開口部（外気導入孔）
２４  パイプ通路
２５  貫通孔
３０  容器本体
３１  口部
３２  肩部
３３  胴部
【図１】
0005695501.tif 000002
【図２】
0005695501.tif 000003